(57)【要約】  本発明は、回転磁界デバイスの技術分野に関わり、具体的には、高エネルギ回転磁気機及び回転磁気マッサージチェア構成である。縦方向駆動回転軸の上端にはギア群が接続され、前記ギア群には駆動ギアが噛合接続され、前記駆動ギアの上部にはベースターンテーブルが固定され、前記ベースターンテーブルには磁気アセンブリが取り付け、物理的特性がよりよく、コストが低くて磁気保健効果もよい。
2019510533.tif 000002
【特許請求の範囲】
【請求項１】
モータ（３）が接続される縦方向駆動回転軸（９）を含み、前記縦方向駆動回転軸（９）の上端にはギア群（９１）が接続され、前記ギア群（９１）には駆動ギア（９２）が噛合接続され、前記駆動ギア（９２）の上部にはベースターンテーブル（１）が固定され、前記ベースターンテーブル（１）には磁気アセンブリ（２）が取り付けられることを特徴とする高エネルギ回転磁気機。
【請求項２】
駆動ギア（９２）の下方には組付受け装置が設けられることを特徴とする請求項１に記載される高エネルギ回転磁気機。
【請求項３】
組付受け装置は担載軸受け（５）を含むことを特徴とする請求項２に記載される高エネルギ回転磁気機。
【請求項４】
担載軸受け（５）の軸受け外輪（５２）が支持ホルダ（９３）に取り付けられ、駆動ギア（９２）が担載軸受け（５）の軸受け内輪（５１）の上方に設けられ、駆動ギア（９２）の中心エリア内には、回転補助軸受け（５５）が設けられ、支持ホルダ（９３）には回転補助軸受け（５５）の内輪が挿通される中心柱（５６）が設けられることを特徴とする請求項３に記載される高エネルギ回転磁気機。
【請求項５】
磁気アセンブリ（２）は、ベースターンテーブル（１）に取り付けられるベース主磁極ブロック（７１）を含むことを特徴とする請求項１、２、３の何れかに記載される高エネルギ回転磁気機。
【請求項６】
磁気アセンブリ（２）は、さらに、上部主磁極ブロック（７２）を含み、前記上部主磁極ブロック（７２）がベース主磁極ブロック（７１）の上部に設けられることを特徴とする請求項５に記載される高エネルギ回転磁気機。
【請求項７】
磁気アセンブリ（２）はさらに補助磁極ブロック（７３）を含み，前記補助磁極ブロック（７３）が上部主磁極ブロック（７２）の側方に設けられることを特徴とする請求項６に記載される高エネルギ回転磁気機。
【請求項８】
磁気アセンブリ（２）の外側には保護カバー（８）が挿通されることを特徴とする請求項１、２、３、４の何れかに記載される高エネルギ回転磁気機。
【請求項９】
ベースターンテーブル（１）は磁気伝導テーブルであることを特徴とする請求項１、２、３、４の何れかに記載される高エネルギ回転磁気機。
【請求項１０】
この回転磁気マッサージチェアの椅子シート（９９０）の下方には、請求項１-９の何れかに記載された高エネルギ回転磁気機が設けられ、前記椅子シート（９９０）とこの回転磁気マッサージチェアの椅子底部（９９１）との間には昇降可能で足載せための伸縮足載せ機構（９９２）が設けられ、前記伸縮足載せ機構（９９２）は、高エネルギ回転磁気機の前側寄りの、椅子シート（９９０）とヒンジ接続されるリクライニングロッド（９９３）と、リクライニングロッド（９９３）の他端とヒンジ接続され且つ高エネルギ回転磁気機の前下方寄りに位置する曲線ロッド（９９４）と、曲線ロッド（９９４）の他端とヒンジ接続され且つ高エネルギ回転磁気機の下方に位置する伸縮エアシリンダ（９９５）とを含み、前記伸縮エアシリンダ（９９５）のピストンロッド（９９６）には下支持ロッド（９９７）がヒンジ接続され、前記下支持ロッド（９９７）の他端が椅子底部（９９１）の前端寄りの部位とヒンジ接続され、伸縮エアシリンダ（９９５）の後端は椅子底部（９９１）の後端寄りの部位とヒンジ接続されることを特徴とする回転磁気マッサージチェア構成。
【発明の詳細な説明】
【技術分野】
【０００１】
本発明は、回転磁界デバイスの技術分野に関わり、具体的には、高エネルギ回転磁気機及び回転磁気マッサージチェア構成である。
【背景技術】
【０００２】
既存の多くの家具、マッサージ健康機器、医療機器等には、もう回転磁界に関するデバイスが運用を始めており、ただし、従来の回転磁気デバイスの技術はまだ成熟ではなく、使う回転磁気デバイス構成は、十分安定していないし、モータの電力が大きく、消費電力が高くて、占有空間が大きくて、振動が大きくて、ノイズが大きくて、放熱がよくない等の問題があって、物理的特性がよくないし、磁界分布の最適化はまだ不足で、有効利用率が低くて、通常では、強磁界の設置には有利ではなく、生産コストも高くて、磁気保健効果もよくない。
【発明の概要】
【発明が解決しようとする課題】
【０００３】
本発明は、物理的特性がよりよく、コストが低くて且つ磁気保健効果がよい高エネルギ回転磁気機を提供することを目的とする。
【課題を解決するための手段】
【０００４】
本発明の上記技術目的は以下の技術案で実現できるものである。
モータが接続される縦方向駆動回転軸を含み、前記縦方向駆動回転軸の上端にはギア群が接続され、前記ギア群には駆動ギアが噛合接続され、前記駆動ギアの上部にはベースターンテーブルが固定され、前記ベースターンテーブルには磁気アセンブリが取り付けられることを特徴とする高エネルギ回転磁気機。
【０００５】
上述技術案には、全体の構成の安定性がよりよく、力受け分布がより最適化され、小電力のモータを採用して小電力の作業をすることができるだけでなく、そして、省エネルギ、占有空間が小さく、振動が小さく、ノイズが小さく、放熱効果がよりよい等の有益な効果を持ち、且つこの構成の磁気アセンブリは磁性がとても強い磁気アセンブリを採用でき、分布をより最適化させる空間強磁界を形成するだけでなく、且つ磁界の有効な利用率がより高く、強磁界の作用に有利し、磁気保健の効果がよりよく、ギア群は、単なるギア又は変速ギア組合せ又はギアケース等の構成を採用でき、さらには、モータ電力を低下させ、小電力モータだけで高負荷のニーズを満足でき、そして、変速も実現でき、ベース回転磁界を発生させるキャリアとするターンテーブルは、モータの作動により、駆動ギアを運転させてそれを回転できる。
【０００６】
本発明の好適な実施形態としては、駆動ギアの下方には組付受け装置が設けられる。組み立て性と運行の順調性を向上させ、故障率を低下させ、さらに構成と力受け分布を最適化させ、各項物理的特性を向上させ、磁気保健の効果もよりよい。
【０００７】
本発明の好適な実施形態としては、組付受け装置は担載軸受けを含む。組み立て性と運行の順調性を向上させ、故障率を減少し、さらに構成と力受け分布を最適化させ、各物理の特性を向上させ、磁気保健効果もよりよい。
【０００８】
本発明の好適な実施形態としては、担載軸受けの軸受け外輪が支持ホルダに設けられ、駆動ギアが担載軸受けの軸受け内輪の上方に設けられ、駆動ギアの中心エリア内には、回転補助軸受けが設けられ、支持ホルダには回転補助軸受けの内輪が挿通される中心柱が設けられる。組み立て性と運行の順調性を向上させ、故障率を削減し、さらに構成と力受け分布を最適化させ、各項物理的特性を向上させ、磁気保健の効果もよりよい。
【０００９】
本発明の好適な実施形態としては、モータ外部にはモータ外保護カバーが設けられる。よりよい保護作用を有し、外部の磁気アセンブリの磁界や埃等の干渉を低下させ、モータの有効性と使用寿命を保証する。
【００１０】
本発明の好適な実施形態としては、磁気アセンブリはベースターンテーブルに取り付けられるベース主磁極ブロックを含む。さらに構成と力受け分布を最適化させ、各項物理的特性を向上させ、磁気保健の効果もよりよい。
【００１１】
本発明の好適な実施形態としては、磁気アセンブリはさらに上部主磁極ブロックを含み、前記上部主磁極ブロックがベース主磁極ブロックの上部にもうけられる。さらに構成と力受け分布を最適化させ、各項物理的特性を向上させ、磁気保健効果もよりよい。
【００１２】
本発明の好適な実施形態としては、磁気アセンブリはさらに補助磁極ブロックを含み、前記補助磁極ブロックが上部主磁極ブロックの側方に設けられる。さらに構成と力受け分布を最適化させ、各項物理的特性を向上させ、磁気保健効果もよりよく、こと組み合わせ方式の構成により、磁気アセンブリをとても強い表面的な磁場まで達させることができるだけでなく、そして、単なる強磁ブロックの加工生産コストを削減し、構成の最適化と各性能の向上にも有益である。
【００１３】
本発明の好適な実施形態としては、磁気アセンブリの外側には、保護カバーが挿通される。美観だけでなく、磁極ブロックを酸化させないよう保護し、鉄磁性物件を磁極ブロックと衝突接触するのを回避し、磁気アセンブリが高速運転中に外れることによる事項を回避でき、さらに構成と力受け分布を最適化させ、各項物理的特性を向上させ、磁気保健効果もよりよい。
【００１４】
本発明の好適な実施形態としては、保護カバーの下部が延びて、ベースターンテーブルと固定接続するためのカバー取り付け片を形成する。保護カバー取り付けの安定性を保証し、さらに構成と力受け分布を最適化させ、各項物理的特性を向上させ、磁気保健効果もよりよい。
【００１５】
本発明の好適な実施形態としては、保護カバーは非磁気シールドステンレスカバーである。さらに構成と力受け分布を最適化させ、各項物理的特性を向上させ、磁気保健効果もよりよい。
【００１６】
本発明の好適な実施形態としては、ベースターンテーブルは磁気伝導テーブルである。さらに構成と力受け分布を最適化させ、各項物理的特性を向上させ、磁気保健効果もよりよい。磁気伝導テーブルは鉄テーブル鋼テーブルまたはその他磁気伝導材料テーブルを採用できる。
【００１７】
本発明の有益な効果としては、全体な構成の安定性がよりよく、力受け分布を最適化させ、小電力のモータを採用して小電力の作業をすることができるだけでなく、そして省エネルギ、占有空間が小さくて、振動が小くて、ノイズが小さくて、放熱の効果がよりよい等の有益な効果があり、且つこの構成の磁気アセンブリは磁性強い磁気アセンブリを採用でき、分布をより最適化させる空間強磁界を形成するだけでなく、且つ磁界の有効利用率がより高く、強磁界の作用に有利し、磁気保健の効果がよりよく、ギア群は、単なるギア又は変速ギア組合せ又はギアケース等構成を採用でき、さらには、モータ電力を低下させ、小電力モータだけで高負荷のニーズを満足でき、そして、変速も実現できる。
【００１８】
本発明は、構成の安全性がよくて信頼性がよく、機動性が強く、コストが低く磁気保健の効果もよい回転磁気マッサージチェア構成を提供することをもう一つの目的とし、この回転磁気マッサージチェアの椅子シートの下方には、高エネルギ回転磁気機が設けられ、前記椅子シートとこの回転磁気マッサージチェアの椅子底部との間には昇降可能で足載せための伸縮足載せ機構が設けられ、前記伸縮足載せ機構は、高エネルギ回転磁気機の前側寄りの、椅子シートとヒンジ接続されるリクライニングロッドと、リクライニングロッドの他端とヒンジ接続され且つ高エネルギ回転磁気機の前下方寄りに位置する曲線ロッドと、曲線ロッドの他端とヒンジ接続され且つ高エネルギ回転磁気機の下方に位置する伸縮エアシリンダとを含み、前記伸縮エアシリンダのピストンロッドには下支持ロッドがヒンジ接続され、前記下支持ロッドの他端が椅子底部の前端寄りの部位とヒンジ接続され、伸縮エアシリンダの後端は椅子底部の後端寄りの部位とヒンジ接続されることを特徴とする回転磁気マッサージチェア構成。
【図面の簡単な説明】
【００１９】
【図１】本発明の実施形態１におけるベースターンテーブルと駆動ギアとの組み立てはまだ完成してない分割り取り組みの立体構成概念図。
【図２】本発明の実施形態１におけるベースターンテーブルと駆動ギアとの組み立てはまだ完成していないときの、各部材が支持ホルダに接続された後の立体構成概念図。
【図３】本発明の実施形態２におけるベースターンテーブルに磁気アセンブリを組み立てた後の断面視の構成概念図。
【図４】本発明の実施形態２の二つの磁気アセンブリが設置される際の磁極分布図。
【図５】本発明の実施形態３におけるベースターンテーブルに磁気アセンブリを組み立てた後の断面視の構成概念図。
【図６】本発明の実施形態４の透視の構成概念図。
【図７】本発明の実施形態４における磁気アセンブリ設計の一つの平面視の構成概念図。
【図８】本発明の実施形態４の磁気アセンブリ設計のもう一つの平面視の構成概念図。
【符号の説明】
【００２０】
９  縦方向駆動回転軸
３  モータ
９１  ギア群
９２  駆動ギア
９３  支持ホルダ
１  ベースターンテーブル
２  磁気アセンブリ
５  担載軸受け
５１  軸受け内輪
５２  軸受け外輪
５５  回転補助軸受け
５６  中心柱
７１  ベース主磁極ブロック
７２  上部主磁極ブロック
７３  補助磁極ブロック
８  保護カバー
８０  カバー取り付け片
７７７  縦方向取り付けビス穴
７７８  縦方向ボルト
７７９  ナット
７７９９  ナット放置溝
８８８  横方向取り付けビス穴
８８９  横方向ボルト
６  軸受ホルダ
９２０  固定取り付け孔
９９０  椅子シート
９９１  椅子底部
９９２  伸縮足載せ機構
９９３  リクライニングロッド
９９４  曲線ロッド
９９５  伸縮エアシリンダ
９９６  ピストンロッド
９９７  下支持ロッド
９２００  ギア補強材
【発明を実施するための形態】
【００２１】
以下、図を結合して本発明に対してさらに詳しく説明する。
【００２２】
実施形態１として、図１、２に示すように、縦方向駆動回転軸９を含む高エネルギ回転磁気機であって、前記縦方向駆動回転軸９には、モータ３が接続され、前記縦方向駆動回転軸９の上端にはギア群９１が接続され、前記ギア群９１には駆動ギア９２が噛み合い接続され、前記駆動ギア９２の上部にはベースターンテーブル１が固定され、前記ベースターンテーブル１には、磁気アセンブリ２が取り付けられる。ギア群９１は、単なるギア又は変速ギア組合せ又はギアケース等の構成を採用でき、さらには、モータの電力を低下させ、低電力のモータだけで高負荷のニーズを満足でき、そして変速も実現できる。ベースターンテーブル１は、できるだけ寝かさせて、且つ好ましく外部の形状が軸対称又は中心対称形状となるように設けられ、磁気アセンブリ２の数は、好ましく偶数であって、中心エリア周りに設けられ、本発明の磁気アセンブリ２は、単品としての磁界が強い強磁磁極ブロック又は従来の幾つかの磁極ブロックを簡単に積層する構成等を採用でき、実施形態２において、複数の磁極ブロックの新興の組み合わせ構成も有し、構成を最適化にすることができるだけでなく、そして、磁極ブロック表面磁界強度を単品としての磁極ブロックに対して加工しても達成しにくい超強力磁界まで向上できる。駆動ギア９２の下方には、組付受け装置が設けられ、組付受け装置は、駆動ギア９２との効果的な協力を完了できることだけでなく、同時に、上部の大きい重量を受け、モータの負荷を低減させ、モータの軸受けの磨耗が小さくなり、必要な電力が低下し、モータの寿命が延びてモータの温度上昇量も少なくなり、運転中に、全体の構成の安定性を保証し、そして、組付受け装置の設置はベースターンテーブル１の通常の回転に影響しなく、ベースターンテーブル１の更なる効果的、潤滑的に回転することを保証すべき。
【００２３】
組付受け装置は、担載軸受け５を含み、担載軸受け５もできるだけ寝かさせて、担載軸受け５は好ましくラジアル軸受けを採用し、さらには、ラジアル密封軸受けを採用できる。本出願の装置は、人体の必要な磁界に応じて、モータ３の回転数を調節でき、回転中に、交番移動磁界が生じて、人体が交番移動磁気にあり、人体の生体磁界を調節変更して、人体の微小循環を調整でき、人体の適切な病気も治療できる。また、ベースターンテーブル１は好ましく磁気伝導テーブルを採用し、例えば、鉄製テーブル、鋼テーブル又は他の磁気材質テーブルを採用できる。
【００２４】
担載軸受け５の軸受け外輪５２が支持ホルダ９３に取り付けられ、駆動ギア９２が担載軸受け５の軸受け内輪５１の上方に設けられ、駆動ギア９２の中心エリア内に回転補助軸受け５５が設けられ、支持ホルダ９３には、回転補助軸受け５５の内輪が挿通される中心柱５６が設けられる。支持ホルダ９３が田字状の枠形状構成のように設けられてもよく、つまり、外部は、一つの長方形状の枠であり、枠内は、二本の補強材が十字型になるように交差接続し，中心柱５６が縦方向に沿って、上述の二本の補強材の十字交差位置に設けられてもよく、同時に、支持ホルダ９３も、上述二本の補強材の十字交差位置に近いエリアに一つの軸受ホルダ６が設けてもよく、軸受ホルダ６には、担載軸受け５が放置され軸受け外輪５２が張架組付可能な環状の段差溝部が開設され、この構成は大幅に組み立て性を向上させ、組み立て効果も向上させ、故障率等を低減でき、この構成で接続した後、モータの回転子にかかる負荷が大幅に低減し、モータの軸受けの磨耗が減少し、必要な電力も低下し、モータの寿命も延びてモータの温度上昇量も少ない。駆動ギア９２には、ギア面に沿って円周アレイを成す複数の固定取り付け孔９２０が開設され、且つボルト等の緩み止め材でベースターンテーブル１と固定接続され、ベースターンテーブル１にはそれに応じた取り付け孔が設けられてもよく、同時に、駆動ギア９２には、円周に沿うアレイ状のギア補強材９２００が一体成型してもよく、且つ隣接の固定取り付け孔９２０間に設けられる。モータ３が支持ホルダ９３に設けられてもよく、且つベースターンテーブル１とそれぞれ支持ホルダ９３の両側に位置し、モータ３は立設可能で、モータ３のモータ軸は直接に縦方向駆動回転軸９として使用され、又はモータ３を寝かせてもよく、そのモータ軸を伝動軸とし、マッシュルームギア等従来の方向変化の伝動接続構成により、もう一つの回動軸に伝動接続され、この回動軸が縦方向駆動回転軸９としてもよく、その時、縦方向駆動回転軸９とモータ３のモータ軸は垂直形状に設けられてもよい。
【００２５】
モータ３の外部にはモータ外保護カバーが設けられ、モータ外保護カバーは磁気伝導材料カバーを採用でき、こうすると、外部の磁力線をガイドしてモータに影響することはしない。
【００２６】
実施形態２として、図３、４に示すように、実施形態１との区別は以下の通りである。磁気アセンブリ２の設計であり、本実施形態において、最初の案として、磁気アセンブリ２は、ベースターンテーブル１に取り付けられるベース主磁極ブロック７１を含み、ベース主磁極ブロック７１は直接に磁気アセンブリ２として単独で使用でき、表面磁界強度の大きい直方体又は立方体形状の磁極ブロックを採用できる。２番目の案として、磁気アセンブリ２はベース主磁極ブロック７１を含むだけでなく、上部主磁極ブロック７２も含み、前記上部主磁極ブロック７２がベース主磁極ブロック７１の上部に設けられ、上部主磁極ブロック７２も表面磁界強度の大きい直方体又は立方体形状の磁極ブロックを採用でき、上部主磁極ブロック７２とベース主磁極ブロック７１との寸法は同じ又は近似のように設けられてもよく、表面磁界強度の大きさも同じ又は近似のように設けられてもよく、もちろん、上部主磁極ブロック７２の上方には、上部主磁極ブロック７２又はベース主磁極ブロック７１と類似な磁極ブロックを設けてもよく、ベース主磁極ブロック７１とベースターンテーブル１とは取り付けて接続され、ベース主磁極ブロック７１には、上下貫通する縦方向取り付けビス穴７７７が開設され、ベースターンテーブル１には、相応な取り付けビス穴が開設され、縦方向取り付けビス穴７７７には縦方向ボルト７７８が設けられ、且つこの縦方向ボルト７７８がベースターンテーブル１での取り付けビス穴を抜け、ナット７７９で緩み止めをし、さらに、ベースターンテーブル１の下部の位置に、取り付けビス穴と連通する、ナット７７９が放置される相応なナット放置溝７７９９が設けられてもよく、また、縦方向ボルト７７８の最高点はベース主磁極ブロック７１の天井面を超えなく、ベース主磁極ブロック７１と上部主磁極ブロック７２と磁極の配列方向はいずれも縦方向に沿うように設けられ且つ隣接側の極性が同じくて、こうすると、ベース主磁極ブロック７１と上部主磁極ブロック７２とは、上下で吸着でき、且つベース主磁極ブロック７１の天井面と上部主磁極ブロック７２の底面との間でシームレス接続され、密着接触でき、この構成において、磁気アセンブリ２は効果的にベースターンテーブル１に固定され、そして、ベース主磁極ブロック７１の穴あけによる頂部の磁束漏洩という問題も回避でき、また、磁気アセンブリ２とベースターンテーブル１は機械接続を採用して信頼性と安全性を保証できる。三番目の案としては、二番目の案を基礎として実現されたものであり、すなわち、磁気アセンブリ２は補助磁極ブロック７３も含み、前記補助磁極ブロック７３が上部主磁極ブロック７２の側方に設けられ、補助磁極ブロック７３の寸法と表面磁界強度とはともに上部主磁極ブロック７２又はベース主磁極ブロック７１より小さくするように設けられてもよく、補助磁極ブロック７３は直方体又は立方体形状の磁極ブロックを採用でき、且つできるだけ、上部主磁極ブロック７２の上方寄りの位置に設けられて、上部主磁極ブロック７２の側方と接触可能で、且つベースターンテーブル１との間に十分な隙間が生じて接触しなく、こうすると、補助磁極ブロック７３の磁気短絡、磁気特性の低下を回避すると同時に、磁材も節約できる。補助磁極ブロック７３は複数設けてもよく、例えば、二つのブロック補助磁極ブロック７３を設けて且つ上部主磁極ブロック７２の対向する両側に位置させ、T字状の構成を形成し、又は複数の補助磁極ブロック７３は口字状構成を形成して上部主磁極ブロック７２を包囲し、補助磁極ブロック７３の磁極配列方向は横方向に沿うように設けられ且つ上部主磁極ブロック７２と接触する側の磁極の極性と上部主磁極ブロック７２の上方寄りの磁極の極性が同じで、こうすると、上部主磁極ブロック７２とは補助磁極ブロック７３とはシームレス組み立て、密着接触することができ、こうすると、エアギャップの磁気抵抗の発生がしなく、上部主磁極ブロック７２表面磁界強度を大幅に増加させる可能で、１００００ガウス以上まで達することができると同時に、磁界作用深さの高さが約１ｍであり、もちろん、もし上部主磁極ブロック７２の上方には磁極ブロックも設けられ且つ上部主磁極ブロック７２と同じな構成のように設けられると、その時、上部主磁極ブロック７２上方にある磁極ブロックは、追加の上部主磁極ブロック７２と見なしてもよく、そして、補助磁極ブロック７３としては、上部主磁極ブロック７２にある上方の磁極ブロックの側方にも補助磁極ブロック７３が設けられるべきであり、上部主磁極ブロック７２側方の補助磁極ブロック７３は保留してもよいし、はずしてもよく、この案には、好ましくは、二つの磁気アセンブリ２を設けて、この二つの磁気アセンブリ２の上部主磁極ブロック７２の上方寄りの磁極の極性が逆になるように設けられ、こうすると、とてもよい空間磁界を形成できる。補助磁極ブロック７３と上部主磁極ブロック７２には、横方向に貫通する横方向取り付けビス穴８８８が開設してもよく、且つ横方向ボルト８８９で直列に接続し、ナット７７９で緩み止めをし、接着で接続する必要がなく、固定効果がよく、上部主磁極ブロック７２と補助磁極ブロック７３との間でエアギャップ磁気抵抗の発生による磁界強度の低下を効果的に回避できる。
【００２７】
実施形態３として、図５に示すように、実施形態１や２との区別は以下の通りである。磁気アセンブリ２の外側には保護カバー８が挿通されており、保護カバー８の下部が延びてベースターンテーブル１と固定接続するためのカバー取り付け片８０を形成し、カバー取り付け片８０はネジなどでベースターンテーブル１と取り付け固定でき、保護カバー８は、非磁気シールドのステンレスカバーであり、すなわち、非磁気シールドのステンレス外カバーを採用でき、美観だけでなく、磁極ブロックを酸化させないように保護し、鉄磁性物件が磁極ブロックと直接に衝突接触するのを回避し、磁気アセンブリ２が高速運転中に外れることによる事故も防止でき、さらに構成と力受け分布とを最適化させ、各項の物理的特性を向上させ、磁気保健の効果もよりよい。
【００２８】
実施形態４として、図６に示すように、回転磁気マッサージチェア構成であって、この回転磁気マッサージチェアの椅子シート９９０の下方には、実施形態１-３の何れかに記載された高エネルギ回転磁気機が設けられ、前記椅子シート９９０とこの回転磁気マッサージチェアの椅子底部９９１との間には、昇降可能で足載せための伸縮足載せ機構９９２が設けられ、前記伸縮足載せ機構９９２は、高エネルギ回転磁気機の前側寄りの、椅子シート９９０とヒンジ接続されるリクライニングロッド９９３と、リクライニングロッド９９３の他端とヒンジ接続される、高エネルギ回転磁気機の前下方寄りの曲線ロッド９９４と、曲線ロッド９９４の他端とヒンジ接続される、高エネルギ回転磁気機の下方に位置する伸縮エアシリンダ９９５と、を含み、前記伸縮エアシリンダ９９５のピストンロッド９９６には下支持ロッド９９７がヒンジ接続されており、前記下支持ロッド９９７の他端は、椅子底部９９１の前端寄りの部位とヒンジ接続され、伸縮エアシリンダ９９５の後端は、椅子底部９９１の後端寄りの部位とヒンジ接続され、曲線ロッド９９４は、高エネルギ回転磁気機に背中合わせる方向へ浮く曲線形状部位を有するように設けられてもよい。この低位置の三角構成は、体積が相対的大きくの高エネルギ回転磁気機の放置に対して有利であることだけでなく、且つ十分な空間を形成して磁界を作用させ、放熱、静音等にも有利であり、且つ高エネルギ回転磁気機と伸縮足載せ機構９９２となどの椅子昇降機構又はシートバック推ロッド機構等の変形動作を干渉又は衝突等が発生しないようにさせる。
【００２９】
実施形態５として、図７、８に示すように、実施形態２との区別は以下の通りである。磁気アセンブリ２の設計であり、本実施形態において、上部主磁極ブロック７２とベース主磁極ブロック７１とは柱状構成のように設けられ、補助磁極ブロック７３が上部主磁極ブロック７２の上方寄りの位置に設けられ、上部主磁極ブロック７２の側方と接触可能で且つベースターンテーブル１との間、十分な隙間が生じて接触しなく、複数の補助磁極ブロック７３を設けて且つ上部主磁極ブロック７２を包囲するように口字状構成又は環状構成に組み立てしてもよく、又は単なる口字状又は環状の補助磁極ブロック７３を採用して上部主磁極ブロック７２を包囲するようにしてもよく、ベース主磁極ブロック７１と上部主磁極ブロック７２との磁極配列方向はいずれも縦方向に沿って設けられ且つ隣接側の極性が同じで、補助磁極ブロック７３の磁極配列方向が横方向に沿って設けられ且つ上部主磁極ブロック７２と接触する側の磁極の極性が上部主磁極ブロック７２の上方寄りの磁極の極性と同じであり、また、ベース主磁極ブロック７１と上部主磁極ブロック７２とは同じな磁極ブロックとして製作されることができ、もちろん、ベースターンテーブル１には上部主磁極ブロック７２だけを設けてもよく、ベース主磁極ブロック７１を設けなく、その時、上部主磁極ブロック７２は、ベース主磁極ブロック７１と上部主磁極ブロック７２とが一体成型した後の単なる主磁極ブロックと同時に認められることができ、且つ補助磁極ブロック７３が包囲するように、この単なる主磁極ブロックの上方寄りの部位に設けられ、そして、この上部主磁極ブロック７２は直接にベースターンテーブル１に吸着できる。
【００３０】
実施形態６として、実施形態１や２との区別な特徴は以下の通りである。高エネルギ回転磁気機の外囲には、フロントヘッド一つとリアヘッド一つが設けられて、フロントヘッドとリアヘッドとが組み合わせ可能で高エネルギ回転磁気機を内部に包囲させ、フロントヘッドとリアヘッドとはいずれもプラスチック等の高分子材料で製作されるヘッドを採用でき、フロントヘッドとリアヘッドとはいずれも、浮き形状であるパン状ヘッドを採用でき且つ上下対称形状を呈し、組み合わせた後、高エネルギ回転磁気機に対する保護作用を有し、且つ高エネルギ回転磁気機の順調な運行を保証できる。
【００３１】
実施形態７として、実施形態１や２との区別は以下の通りである。実施形態１や２におけるある部材に対しての改進であり、中心柱５６は一つのスリーブと一つの軸とを組み立てて形成可能で、中心柱５６が駆動ギア９２の中心エリアを貫通し、つまり、駆動ギア９２の中心孔のエリアを貫通し、ギア群９１のギアと駆動ギア９２とはいずれもプラスチックギアまたはプラスチックギア等を採用可能で、駆動ギア９２の中心エリア寄りの部位が上へ延びて回転補助軸受け５５が放置される上環状放置用部を形成し、駆動ギア９２の中心エリア寄りの部位が下へ延びて軸受け内輪５１が放置される下環状放置部を形成し、また、軸受ホルダ６が駆動ギア９２の相応な担載軸受け５に用いられてもよく、その時、円形状のように設計してもよく、実際には、ギア群９１にも使われてもよく、このように、軸受ホルダ６の形状を水滴状又は八字状のように設計してもよく、上には、また、ギア群９１が使われる相応な軸受けを設けて、ギア群９１のギアもプラスチックギア又はプラスチックギア等を採用可能で、軸受けと直接に作用するギアの上部中間部位が上へ延びて相応な軸受けが放置される放置部を形成し又は下部中間部位が下へ延びて相応な軸受けが放置される放置部を形成する。
【００３２】
前述した形態例には、発明の趣旨の範囲内で様々な変形例が考えられる。また、本明細書の記載に基づいて創作される又は組み合わせられる各種の変形例及び応用例も考えられる。
【００３３】
上記具体的な実施形態は、本発明の好ましい実施形態であり、本発明を限定するものではなく、本発明の技術的解決手段から逸脱することなく、他の変更または他の均等な置換は、いずれも本発明の保護範囲に含まれる。
【図１】
2019510533.tif 000003
【図２】
2019510533.tif 000004
【図３】
2019510533.tif 000005
【図４】
2019510533.tif 000006
【図５】
2019510533.tif 000007
【図６】
2019510533.tif 000008
【図７】
2019510533.tif 000009
【図８】
2019510533.tif 000010
【国際調査報告】
2019510533.tif 000011
2019510533.tif 000012
2019510533.tif 000013
2019510533.tif 000014
2019510533.tif 000015
2019510533.tif 000016